(57)【要約】      （修正有）【課題】会話内容の外部への漏洩を抑制しつつ、会話の円滑化を図ることができる間仕切りを提供する。【解決手段】間仕切りは、集音形状を前面に有する本体６と、前方から入射する音波を反射して収束させる集音部１２を前面側に備える。集音部１２が高音域の音を吸収又は散乱する手段を有する、室内スペースを区分する間仕切りである。吸音手段が、集音部１２の最前面に設けられる多孔質層１７であり、複数の多孔質層１７が部分的に設けられている。散乱手段として、集音部１２の最前面に複数の突起が設けられてもよい。集音部１２の集音形状が、二次曲線回転面、この二次曲線回転面の一部又はその一部の組み合わせである。【選択図】図６
2018197768.tif 000002
【特許請求の範囲】
【請求項１】
前方から入射する音波を反射して収束させる集音部を前面側に備え、前記集音部が高音域の音を吸収又は散乱する手段を有する室内スペースを区分する間仕切り。
【請求項２】
前記吸音手段が、前記集音部の最前面に設けられる多孔質層である請求項１に記載の間仕切り。
【請求項３】
複数の前記多孔質層が部分的に設けられている請求項２に記載の間仕切り。
【請求項４】
前記散乱手段が、前記集音部の最前面に設けられる複数の突起である請求項１に記載の間仕切り。
【請求項５】
前記集音部の集音形状が、二次曲線回転面、この二次曲線回転面の一部又はその一部の組み合わせである請求項１から請求項４のいずれか１項に記載の間仕切り。
【発明の詳細な説明】
【技術分野】
【０００１】
本発明は、間仕切りに関する。
【背景技術】
【０００２】
近年、オフィス等の室内スペースを間仕切りによって区分することで会議や商談等を行う打合せブースを設けることが行われている。このように間仕切りによって打合せブースを設けることで、室内スペースを効率的に利用することができると共に、この室内スペース全体の活気を高めることができる。
【０００３】
前記打合せブースは、室内スペースの効率的な利用や室内スペースの活性化の観点から、室内の事務スペース等の近くに存在することが望まれている。また、この打合せブースは、上記観点から十分な数が存在することが望まれており、そのため各打合せブースの小規模化が図られている。
【０００４】
しかしながら、打合せブースの小規模化が図られる場合、この打合せブース内の会話が打合せブース外に漏洩するおそれが高くなる。このような点から、今日では間仕切りにスピーカーを設け、マスキング音を放音することによって、打合せブース内での会話が外部で聞き取れないようにする技術が実用化されている（特開２０１２−８２５８５号公報参照）。
【先行技術文献】
【特許文献】
【０００５】
【特許文献１】特開２０１２−８２５８５号公報
【発明の概要】
【発明が解決しようとする課題】
【０００６】
しかしながら、前記公報に記載されているようにマスキング音を用いる場合、周囲の環境ノイズが大きくなるという問題が生じる。つまり、複数の打合せブースが隣接して設けられる場合、隣接する他の打合せブース内の会話を聞き取れなくするためのマスキング音によって打合せブース内での会話が聞き取り難くなり、打合せブース内で比較的大きな声で会話をする必要が生じるおそれがある。
【０００７】
このような不都合に鑑みて、本発明は、会話内容の外部への漏洩を抑制しつつ、会話の円滑化を図ることができる間仕切りを提供することを課題とする。
【課題を解決するための手段】
【０００８】
前記課題を解決するためになされた本発明は、前方から入射する音波を反射して収束させる集音部を前面側に備え、前記集音部が高音域の音を吸収又は散乱する手段を有する室内スペースを区分する間仕切りである。
【０００９】
前記吸音手段が、前記集音部の最前面に設けられる多孔質層であるとよい。
【００１０】
複数の前記多孔質層が部分的に設けられているとよい。
【００１１】
前記散乱手段が、前記集音部の最前面に設けられる複数の突起であるとよい。
【００１２】
前記集音部の集音形状が、二次曲線回転面、この二次曲線回転面の一部又はその一部の組み合わせであるとよい。
【００１３】
なお、本発明において、「音波を反射して収束させる」とは、同一の点から入射する音波に対する表面の２以上の点での反射波が同一の点に到達することをいう。「高音域の音」とは、周波数が２ｋＨｚ以上の音波をいう。「二次曲線回転面」は、複数の平面や球面で近似される面であってもよい。
【発明の効果】
【００１４】
本発明に係る間仕切りは、例えば打合せブースを事務スペース等の外部スペースと区分するために用いられる。当該間仕切りは、集音部が前記打合せブース側に向くよう配設される。当該間仕切りは、前方から入射する音波を反射して収束させる集音部を前面側に備えているので、当該間仕切りによって区分される打合せブース内で比較的小さい声で会話をした場合でも、互いの声を比較的容易に聞き取らせることができる。そのため、当該間仕切りは、会話内容の外部への漏洩を抑制することができる。さらに、当該間仕切りは、前記集音部が高音域の音を吸収又は散乱する手段を有するので、会話音が高域強調されることを抑制することができ、これにより会話の円滑化を図ることができる。
【図面の簡単な説明】
【００１５】
【図１】本発明の一実施形態に係る間仕切りを備える区分構造を示す模式的平面図である。
【図２】図１の区分構造のＡ−Ａ線断面図である。
【図３】図１の間仕切りの集音部を示す模式的正面図である。
【図４】図３の集音部のＢ−Ｂ線端面図である。
【図５】図３の集音部とは異なる形態に係る集音部を示す模式的正面図である。
【図６】図５の集音部のＣ−Ｃ線端面図である。
【図７】図３及び図５の集音部とは異なる形態に係る集音部を示す模式的正面図である。
【図８】図７の集音部のＤ−Ｄ線端面図である。
【図９】図３の集音形状とは異なる形態に係る集音形状を有する集音部を示す模式的正面図である。
【図１０】図９の集音部のＥ−Ｅ線断面図である。
【図１１】図３及び図９の集音形状とは異なる形態に係る集音形状を有する集音部を示す模式的正面図である。
【発明を実施するための形態】
【００１６】
以下、適宜図面を参照しつつ、本発明の実施の形態を詳説する。
【００１７】
［第一実施形態］
＜区分構造＞
図１及び図２の区分構造は、本発明の一実施形態に係る間仕切り１を備える。当該間仕切り１は、前方から入射する音波を反射して収束させる集音部２を前面側に備える。当該間仕切り１は、室内スペースを区分する間仕切りであって、例えば打合せブースを事務スペース等の外部スペースと区分するための間仕切りである。なお、本発明において、「前面側」とは、本発明に係る間仕切りによって会話内容の外部への漏洩を抑制する側をいい、本実施形態においては、打合せブース側を意味する。当該間仕切り１について説明する前に、まず当該間仕切り１を備える区分構造の概略について説明する。
【００１８】
当該区分構造は、一対の当該間仕切り１と、互いに向き合う話者Ｐ１，Ｐ２間に配置されるテーブル３と、話者が着座する一対の椅子４とを備える。当該区分構造は、一対の当該間仕切り１が対向配置されており、一対の当該間仕切り１に挟まれる中間位置にテーブル３が配置され、このテーブル３と一対の当該間仕切り１との間に一対の椅子４が配置されている。テーブル３は、話者Ｐ１，Ｐ２の着席位置を誘導する誘導構造として、天板に話者Ｐ１，Ｐ２の胴が入り込む切欠き３ａを有する。このように、テーブル３が誘導構造を有することによって、当該区分構造によって音が収束する位置に話者Ｐ１，Ｐ２を誘導し、会話が打合せブースの外部に漏れることを容易に防止することができる。なお、「話者の胴が入り込むよう形成された切欠き」とは、実際に話者Ｐ１，Ｐ２が切欠き３ａの中に入り込んで使用するものに限定されるものではなく、話者Ｐ１，Ｐ２がテーブル３の天板の側縁から適当な間隔を空けて着座するために設けられる切欠きを含む。
【００１９】
なお、当該区分構造は、図１及び図２に示すように、２人の話者Ｐ１，Ｐ２がテーブル３を挟んで一対一で会話をするために特に好適に用いられるが、より多くの話者による会話や、遠隔会議システムを使用するために用いることもできる。また、当該区分構造は、一対の当該間仕切り１に挟まれる領域を除く空間において打合せブース及び外部スペースを区分する他の間仕切りを備えていてもよい。
【００２０】
（間仕切り）
当該間仕切り１は、集音部２と、集音部２を一定の高さに調節すると共に、集音部２より下方を仕切る腰壁部５とを有する。集音部２は、例えば板状であり、前面側に集音形状が形成されている。集音部２は、前記集音形状が打合せブース側に向くよう配設されている。
【００２１】
図３及び図４に示すように、当該間仕切り１は、集音部２の集音形状が二次曲線回転面である。これにより、当該間仕切り１は、集音部２の最前面の概形が二次曲線回転面とされている。当該間仕切り１は、集音部２の集音形状が二次曲線回転面であることによって、例えばこの二次曲線回転面の回転軸が２人の話者Ｐ１，Ｐ２の頭部近傍を通るように配設されることで、集音部２と離れた側の話者Ｐ１，Ｐ２の声を反射して集音部２側に位置する話者Ｐ１，Ｐ２の近傍に収束させやすい。特に、当該間仕切り１に背を向けて位置する一方の話者Ｐ１，Ｐ２の頭部が前記集音形状の焦点位置近傍になるよう調節することで、他方の話者Ｐ１，Ｐ２の声を前記集音形状で反射したうえ、一方の話者Ｐ１，Ｐ２の頭部近傍に確実に収束させることができる。その結果、当該間仕切り１に背を向けて位置する一方の話者Ｐ１，Ｐ２が他方の話者Ｐ１，Ｐ２の会話を聞き取りやすくなる。
【００２２】
前記集音形状の焦点位置に対応する音源位置としては、テーブル３を挟んで位置する話者Ｐ１，Ｐ２の想定される頭部近傍とすることができる。この場合、前記二次曲線回転面は回転楕円面であることが好ましい。このように、前記二次曲線回転面が回転楕円面であることによって、２人の話者Ｐ１，Ｐ２の想定される頭部近傍に２つの焦点を調節することで、集音部２と離れた側の話者Ｐ１，Ｐ２の声を反射して集音部２側に位置する話者Ｐ１，Ｐ２の近傍に容易かつ確実に収束させることができる。
【００２３】
また、前記集音形状の焦点位置に対応する音源位置としては、入射波が平行となる無限遠とすることもできる。この場合、前記二次曲線回転面は回転放物面であることが好ましい。このように、前記二次曲線回転面が回転放物面であることによって、例えばテーブル３を挟んで反対側に複数の話者が存在する場合に、これら複数の話者の声を前記集音形状に背を向けて位置する話者に向けて効率よく収束させることができる。
【００２４】
集音部２は、高音域の音を吸収する手段（吸音手段）を有する。具体的には、図３及び図４に示すように、集音部２は、前記集音形状を前面に有する本体６と、本体６の前面に積層される前記吸音手段である多孔質層７とを有する。
【００２５】
当該間仕切り１は、集音部２が前記集音形状を有することで前方から入射する音波を反射させて収束させることができる。そのため、当該間仕切り１は、当該間仕切り１によって区分される打合せブース内で比較的小さい声で会話をした場合でも、互いの声を比較的容易に聞き取らせることができる。従って、当該間仕切り１は、会話内容の外部への漏洩を抑制することができる。一方、このような集音形状を有する場合、この集音形状に起因して反射音が高音域が強調された音になりやすい。特に、前記集音形状が二次曲線回転面、さらには回転放物面である場合、高音域ほど音声利得が高くなりやすいため、高音域が強調された耳につく音質になりやすい。これに対し、当該間仕切り１は、集音部２が吸音手段を有するので、会話音が高域強調されることを抑制することができ、これにより会話の円滑化を図ることができる。
【００２６】
本体６は、前面に前記集音形状が形成された略板状体とすることができる。本体６は、実質的に音波を吸収及び散乱しない構成とされることが好ましい。本体６は、剛性を有するリジッド板であることが好ましく、前記集音形状によって音波を的確に反射できるよう中実体とするなど、空気の特性インピーダンスと比べて十分に大きな特性インピーダンスを備えることが好ましい。また、本体６の前面は平滑面であることが好ましい。本体６の材質としては、例えば合成樹脂、金属、木材等が挙げられる。なお、「実質的に音波を吸収及び散乱しない」とは、不可避的な構成を除き、音波を吸収及び散乱させる構成を有しないことをいう。
【００２７】
多孔質層７は、集音部２の最前面に設けられている。多孔質層７は、例えば接着剤によって本体６の表面に積層される。本実施形態において、多孔質層７は、前記集音形状の全面を被覆している。また、本実施形態において、多孔質層７は接着剤によって本体６の表面に直接積層されており、多孔質層７及び本体６の間には接着剤層を除いて他の層を有しない。多孔質層７は、内部に多数の連通孔を有する。多孔質層７は、空孔に入射した音波を空気によって振動可能に構成されている。多孔質層７は、この振動によって生じた摩擦により音エネルギーを熱エネルギーとして吸収可能に構成されており、これにより高音域の音波を集中的に吸収可能に構成されている。当該間仕切り１は、前記吸音手段として多孔質層７を有することによって、高音域の音波を集中的に吸収することができ、これにより前記集音形状に起因する高音域が強調された音質を容易かつ確実に和らげることができる。
【００２８】
多孔質層７の形成材料としては、発泡ポリウレタン組成物、発泡ポリエチレン組成物、発泡ポリスチレン組成物等の発泡樹脂組成物、ロックウール、グラスウール等の無機繊維材等が挙げられる。多孔質層７は、例えば前記発泡樹脂組成物からなる発泡樹脂層や、前記無機繊維材からなる不織布層、フェルト層等として構成することができる。
【００２９】
多孔質層７の平均厚さは、高音域の音波を集中的に吸収できるよう、多孔質層７の素材や嵩密度等に基づいて適宜設定可能である。多孔質層７の平均厚さの下限としては、１ｍｍが好ましく、２ｍｍがより好ましい。一方、多孔質層７の平均厚さの上限としては、２５ｍｍが好ましく、２０ｍｍがより好ましい。多孔質層７の平均厚さが前記下限より小さいと、高音域の音を十分に吸収することができないおそれがある。逆に、多孔質層７の平均厚さが前記上限を超えると、高音域の音に加え、中低音域の音を吸収するおそれが高くなる。
【００３０】
多孔質層７の嵩密度の下限としては、１２ｋｇ／ｃｍ３が好ましく、２５ｋｇ／ｃｍ３がより好ましい。一方、多孔質層７の嵩密度の上限としては、１２０ｋｇ／ｃｍ３が好ましく、９６ｋｇ／ｃｍ３がより好ましい。前記嵩密度が前記下限に満たないと、高音域の音を十分に吸収することができないおそれがある。逆に、前記嵩密度が前記上限を超えると、中低音域の音を吸収するおそれが高くなる。
【００３１】
［第二実施形態］
（間仕切り）
次に、図５及び図６を参照して、図１の間仕切り１とは異なる形態に係る間仕切りについて説明する。本実施形態における間仕切りは、集音部１２以外、図１の間仕切り１と同様に構成することができる。そのため、以下では、集音部１２についてのみ説明する。
【００３２】
集音部１２は、前方から入射する音波を反射して収束させる。集音部１２は、例えば板状であり、前面側に集音形状が形成されている。集音部１２の集音形状は二次曲線回転面である。これにより、当該間仕切りは、集音部２の最前面の概形が二次曲線回転面とされている。この二次曲線回転面の具体的形状は、図１の集音部２と同様とすることができる。集音部１２は、前記集音形状が打合せブース側に向くよう配設されている。
【００３３】
集音部１２は、高音域の音を吸収する手段（吸音手段）を有する。具体的には、図５及び図６に示すように、集音部１２は、前記集音形状を前面に有する本体６と、本体６の前面に積層される前記吸音手段である複数の多孔質層１７とを有する。なお、本体６の具体的構成としては、図１の集音部２と同様とすることができるため、同一符号を付して説明を省略する。
【００３４】
多孔質層１７は、集音部１２の最前面に部分的に設けられている。各多孔質層１７は、例えば接着剤によって本体６の表面に積層される。また、本実施形態において、複数の多孔質層１７は接着剤によって本体６の表面に直接積層されており、複数の多孔質層１７及び本体６の間には接着剤層を除いて他の層を有しない。各多孔質層１７は、内部に多数の連通孔を有する。各多孔質層１７は、空孔に入射した音波を空気によって振動可能に構成されている。各多孔質層１７は、この振動によって生じた摩擦により音エネルギーを熱エネルギーとして吸収可能に構成されており、これにより高音域の音波を集中的に吸収可能に構成されている。各多孔質層１７の形成材料、平均厚さ及び嵩密度としては、図１の多孔質層７と同様とすることができる。
【００３５】
複数の多孔質層１７の形状は、同一であってもよく、異なっていてもよい。但し、高音域の音の吸収機能を集音部１２全体として制御しやすいよう、複数の多孔質層１７の形状は同一であることが好ましい。また、各多孔質層１７の具体的形状としては、特に限定されるものではなく、例えば矩形状、円形状、線状、多角形状等が挙げられ、本実施形態では矩形状、特に正方形状とされている。
【００３６】
複数の多孔質層１７は、前記集音形状の前面に略等密度で配設されることが好ましい。このように、複数の多孔質層１７が前記集音形状の前面に略等密度で配設されることで、前記集音形状の全面に亘って高音域の音を略均一に減衰させることができるので、話者に違和感を与え難い。複数の多孔質層１７を略等密度で配設する場合、複数の多孔質層１７は、例えば前記集音形状の前面に千鳥状に配設されることが好ましい。
【００３７】
集音部１２の５００Ｈｚにおける平均吸音率の下限としては、０．０５が好ましく、０．０８がより好ましい。一方、集音部１２の５００Ｈｚにおける平均吸音率の上限としては、０．１５が好ましく、０．１２がより好ましい。また、集音部１２の２ｋＨｚにおける平均吸音率の下限としては、０．３０が好ましく、０．３５がより好ましい。一方、集音部１２の２ｋＨｚにおける平均吸音率の上限としては、０．５０が好ましく、０．４５がより好ましい。また、集音部１２の４ｋＨｚにおける平均吸音率の下限としては、０．６０が好ましく、０．７０がより好ましい。一方、集音部１２の４ｋＨｚにおける平均吸音率の上限としては、０．９５が好ましく、０．９０がより好ましい。前記各周波数における平均吸音率が前記下限に満たないと、高音域の音を十分に吸収することができないおそれがある。これに対し、前記比が前記範囲内であることによって、高音域の音を選択的に適度に吸収することができ、話者に違和感を与えるおそれが低い。なお、「集音部の平均吸音率」とは、集音部の本体の吸音率と集音部の前面に露出する本体の面積との積と、多孔質層の吸音率と集音部の前面に露出する多孔質層の面積との積とを足し合わせ、この足し合わせた値を集音部の前面の面積で除した値をいう。
【００３８】
当該間仕切りは、複数の多孔質層１７が集音部１２の最前面に部分的に設けられているので、高音域の音の吸収割合を適度に制御することができ、話者に違和感を与えるおそれが低い。
【００３９】
［第三実施形態］
（間仕切り）
続いて、図７及び図８を参照して、図１の間仕切り１及び図５の間仕切りと異なる形態に係る間仕切りについて説明する。本実施形態における間仕切りは、集音部２２以外、図１の間仕切り１と同様に構成することができる。そのため、以下では、集音部２２についてのみ説明する。
【００４０】
集音部２２は、前方から入射する音波を反射して収束させる。集音部２２は、例えば板状であり、前面側に集音形状が形成されている。集音部２２の集音形状は二次曲線回転面である。これにより、当該間仕切りは、集音部２２の最前面の概形が二次曲線回転面とされている。この二次曲線回転面の具体的形状は、図１の集音部２と同様とすることができる。集音部２２は、前記集音形状が打合せブース側に向くよう配設されている。
【００４１】
集音部２２は、高音域の音を散乱する手段（散乱手段）を有する。具体的には、図７及び図８に示すように、集音部２２は、前記集音形状を前面に有する本体６と、本体６の前面に形成される前記散乱手段である複数の突起２７とを有する。なお、本体６の具体的構成としては、図１の集音部２と同様とすることができるため、同一符号を付して説明を省略する。
【００４２】
複数の突起２７は、集音部２２の最前面に設けられている。当該間仕切りは、例えば表面に複数の突起２７を有する層を本体６の前面に積層することで複数の突起２７を設けてもよく、複数の突起２７をそれぞれ接着剤等により本体６の前面に積層してもよく、金型を用いた熱プレス加工等によって複数の突起２７及び本体６を一体的に形成してもよく、複数の突起２７及び本体６が離間していてもよい。
【００４３】
複数の突起２７は、前記集音形状の前面に略等密度で配設されている。複数の突起２７の形状としては、特に限定されるものではなく、半球状、半楕円球状等のドーム状、円錐状、角錐状、円柱状、角柱状などが挙げられる。
【００４４】
複数の突起２７の形状は略等しいことが好ましい。複数の突起２７の底部の平均径の下限としては、５ｃｍが好ましく、１０ｃｍがより好ましく、１５ｃｍがさらに好ましい。一方、前記平均径の上限としては、３０ｃｍが好ましく、２５ｃｍがより好ましく、２０ｃｍがさらに好ましい。前記平均径が前記下限より小さいと、高音域の音を十分に散乱させることができないおそれがある。逆に、前記平均径が前記上限を超えると、高音域の音に加え、中低音域の音を散乱させるおそれが高くなる。なお、「径」とは、等面積の真円に換算した場合の直径の平均値をいう。また、「平均径」とは、任意に抽出した１０個の突起の径の平均値をいう。
【００４５】
複数の突起２７の平均径に対する平均高さの比の下限としては、０．１０が好ましく、０．２０がより好ましく、０．２５がさらに好ましい。一方、前記比の上限としては、０．５０が好ましく、０．４０がより好ましく、０．３５がさらに好ましい。前記比が前記下限に満たないと、音波の散乱角度が不十分となり、高音域の音を十分に減衰させることができないおそれがある。逆に、前記比が前記上限を超えると、複数の突起２７が破損しやすくなるおそれがある。なお、「平均高さ」とは、任意に抽出した１０個の突起の高さの平均値をいう。
【００４６】
前記集音形状の面積に対する複数の突起２７の合計底面面積の比の下限としては、０．２が好ましく、０．３がより好ましい。一方、前記比の上限としては、０．６が好ましく、０．５がより好ましい。前記比が前記下限に満たないと、高音域の音を十分に散乱させることができないおそれがある。これに対し、前記比が前記範囲内であることによって、高音域の音を適度に散乱させることができ、話者に違和感を与えるおそれが低い。
【００４７】
前記集音形状の単位面積あたりの複数の突起２７の存在個数は、作用させたい周波数帯域に基づいて設定可能である。前記集音形状の単位面積あたりの複数の突起２７の存在個数の下限としては、例えば５個／ｍ２が好ましく、１０個／ｍ２がより好ましい。複数の突起２７の単位面積あたりの存在個数が前記下限に満たないと、高音域の音を十分に散乱させることができないおそれがある。一方、前記集音形状の単位面積あたりの複数の突起２７の存在個数の上限としては、特に限定されるものではないが、例えば３０個／ｍ２とすることができる。
【００４８】
当該間仕切りは、複数の突起２７が集音部２２の最前面に設けられているので、複数の突起２７によって高音域の音を散乱させることができるので、前記集音形状に起因する高音域が強調された音質を容易かつ確実に和らげることができる。
【００４９】
［その他の実施形態］
前記実施形態は、本発明の構成を限定するものではない。従って、前記実施形態は、本明細書の記載及び技術常識に基づいて前記実施形態各部の構成要素の省略、置換又は追加が可能であり、それらは全て本発明の範囲に属するものと解釈されるべきである。
【００５０】
例えば前述の実施形態では集音部の集音形状が二次曲線回転面である構成について説明したが、前記集音形状としては、反射した音波を収束可能な形状である限り特に限定されるものではなく、例えば複数の二次曲線回転面の組み合わせ、二次曲線回転面の一部又は二次曲線回転面の一部の組み合わせであってもよい。以下、図９〜図１１を参照して、前記集音形状の他の構成例について説明する。
【００５１】
図９及び図１０の集音部３２の集音形状は、複数の二次曲線回転面の組み合わせである。この集音部３２の集音形状は、焦点位置が等しく、頂点位置が異なる複数の二次曲線回転面が、同心円状に配置されている。これらの複数の二次曲線回転面は、焦点を頂点とする円錐面によって接続されている。このように、前記集音形状が複数の二次曲線回転面を有することによって、集音部の全体の厚さを小さくすることができ、打合せブース間にデッドスペースが形成され難いため、室内スペースを有効に利用することができる。
【００５２】
図１１の集音部４２の集音形状は、複数の二次曲線回転面の一部の組み合わせである。この集音部４２の集音形状は、回転軸が平行で、焦点位置が一致又は近接する複数の二次曲線回転面の一部が左右方向に連接されている。この構成によっても、集音部の全体の厚さを小さくすることができ、打合せブース間にデッドスペースが形成され難いため、室内スペースを有効に利用することができる。また、複数の二次曲線回転面の一部の焦点位置をずらしておくことで、話者の頭部が予め想定された位置からずれた場合でもこの話者が音声を聞き取り難くなるおそれが低い。
【００５３】
また、集音部の集音形状は、前述した複数の二次曲線回転面の組み合わせ、二次曲線回転面の一部又は二次曲線回転面の一部の組み合わせ以外とすることもでき、例えば全体として曲面に近似するよう、複数の平面を曲面状に配置した構成を採用することも可能である。
【００５４】
当該間仕切りは、前記集音部が前面側に設けられていればよく、その他の具体的構成は特に限定されるものではない。
【００５５】
前記吸音手段及び散乱手段は、前記実施形態に記載した構成に限定されるものではない。例えば前記散乱手段は、集音部の最前面に形成される複数の穴であってもよく、集音部の最前面に形成される凹凸であってもよい。
【００５６】
当該間仕切りは、建物の一部をなす固定壁や天井部材として構成されてもよい。
【産業上の利用可能性】
【００５７】
以上説明したように、本発明の間仕切りは、会話内容の外部への漏洩を抑制しつつ、会話の円滑化を図ることができるので、室内スペースを分割して打合せブースを形成するために特に好適に利用することができる。
【符号の説明】
【００５８】
１  間仕切り
２，１２，２２，３２，４２  集音部
３  テーブル
３ａ  切欠き
４  椅子
５  腰壁部
６  本体
７，１７  多孔質層
２７  突起
Ｐ１，Ｐ２  話者
【図１】
2018197768.tif 000003
【図２】
2018197768.tif 000004
【図３】
2018197768.tif 000005
【図４】
2018197768.tif 000006
【図５】
2018197768.tif 000007
【図６】
2018197768.tif 000008
【図７】
2018197768.tif 000009
【図８】
2018197768.tif 000010
【図９】
2018197768.tif 000011
【図１０】
2018197768.tif 000012
【図１１】
2018197768.tif 000013